(57)【要約】【目的】癒しの空間を提供することができる新規な発光装置を提供する。【構成】ＬＥＤなどの光源１１ｃを備えた発光部１１と、光源を点滅照射させる発光制御部１２と、光源からの光を透過する間に拡散して癒し効果のある光とする光拡散媒体１３ａを備えた透光部１３とを有する。透光部の光拡散媒体は、任意形状を有する天然および／または人工の珪素含有材料よりなり、特にメノウを用いることが好ましい。この発光装置は、ネオンサインのような看板灯や広告灯、水鉢、水槽、足湯などの幅広い用途に供することができる。【選択図】図１
0003117206.tif 000002
【実用新案登録請求の範囲】
【請求項１】
光源を備えた発光部と、光源を点滅照射させる発光制御部と、光源からの光を透過する間に拡散して癒し効果のある光とする光拡散媒体を備えた透光部とを有し、透光部の光拡散媒体が、任意形状を有する天然および／または人工の珪素含有材料よりなることを特徴とする発光装置。
【請求項２】
前記発光部の光源が発光ダイオードまたはエレクトロルミネッセンスである、請求項１の発光装置。
【請求項３】
前記透光部の光拡散媒体がメノウである、請求項１または２の発光装置。
【請求項４】
前記発光部に任意形状および任意数の開口凹部を形成してこの開口凹部に前記光源を配し、且つ、この開口凹部を実質的に閉塞するように前記光拡散媒体を載置して光源からの光を拡散する、請求項１ないし３のいずれかの発光装置。
【請求項５】
任意数および任意輪郭の切り抜き部を有する非透光性材料よりなる遮光層を備え、この遮光層を前記発光部に近接して配置すると共に各切り抜き部上に前記光拡散媒体を配置するか、または、この遮光層を前記透光部より透光方向前方に配置することにより、各切り抜き部の輪郭に沿って光を放出して看板灯ないし広告灯として用いる、請求項１ないし４のいずれかの発光装置。
【請求項６】
前記光拡散媒体を水などの液体に沈めて用いる、請求項１ないし４のいずれかの発光装置。
【請求項７】
前記光拡散媒体が足湯槽の底に敷き詰められると共に、前記発光部の光源が足湯槽の下方に設けられ、光源からの光が足湯槽の底に敷き詰めた光拡散媒体を透過し、さらに足湯槽の湯を透過する間に屈折しながら拡散する、請求項１ないし４のいずれかの発光装置。
【請求項８】
前記透光部が水槽の少なくとも一側面に隣接して設けられると共に、その水槽側面とは反対側に隣接して前記発光部が設けられて水槽照明として用いられる、請求項１ないし４のいずれかの発光装置。
【請求項９】
前記発光部の光源が、異なる発色の発光ダイオードを所定の順序またはランダムに一列または複数列に並べてなる、請求項１ないし８のいずれかの発光装置。
【請求項１０】
前記発光制御部は、前記発光部が有する異なる発色の発光ダイオードを任意の規則的または不規則的パターンで点滅制御する、請求項９の発光装置。
【考案の詳細な説明】
【技術分野】
【０００１】
本考案は発光装置に関し、特に快適な生活を送る上で癒しの空間を提供することができる新規の構成の発光装置に関する。
【背景技術】
【０００２】
ＬＥＤ（発光ダイオード）などを用いた発光装置は従来より広く知られており、各種ディスプレイなどに応用されている。
【０００３】
また、ほのぼのとした灯りを灯して光そのものを楽しんだり、光を見て安らぐものとして、古くはローソクを用いた行灯のような照明が使用されており、近年では、電球や蛍光球に乳白色や着色ガラスなどのカバーをつけて該カバーを透視した光を楽しむものなどが知られている。
【考案の開示】
【考案が解決しようとする課題】
【０００４】
仕事や人間関係などのストレスが溜まりやすい現代において「癒し」の重要性がますます高まっている中で、光によって癒しの空間を提供することが望まれている。ＬＥＤなどの発光装置は光源の色や濃淡をランダムに変化させて照射することができるので様々な分野に応用することができるが、癒しのための光を提供することについての応用例はほとんど見られない。
【０００５】
したがって、本考案が解決しようとする課題は、癒しの空間を提供することができる新規な発光装置を提供することにある。
【課題を解決するための手段】
【０００６】
前述のような現状に鑑みて、本考案者は、ＬＥＤなどの光源と組み合わせて各種の天然素材や人工素材を用いて光を拡散させて研究と実験を重ねたところ、特定の光拡散媒体を用いることにより、光源から発光される光の色と濃淡をランダムに変化させて照射したときに光彩の微細な変化を見て楽しむことができ、これによって癒しの空間を提供することができることを知見して、本考案を完成させたものである。
【０００７】
すなわち、前述の課題を解決するため、本考案は、光源を備えた発光部と、光源を点滅照射させる発光制御部と、光源からの光を透過する間に拡散して癒し効果のある光とする光拡散媒体を備えた透光部とを有し、透光部の光拡散媒体が、任意形状を有する天然および／または人工の珪素含有材料よりなることを特徴とする発光装置である。
【０００８】
この発光装置における発光部の光源としては、発光ダイオードまたはエレクトロルミネッセンスを用いることが好ましい。また、異なる発色（赤、青、緑）の複数個の光源を交互に配置してこれらを発光制御部によりランダムに異なったパターンで点滅させると、透光部を介して光彩の変化を楽しむことができるので、一つの好適な実施形態となる。
【０００９】
透光部の光拡散媒体として特にメノウを用いた場合には、癒し効果に優れた発光装置として提供することができる。メノウ（瑪瑙、別名アゲート）は石英を主体とする鉱物で縞状または渦状の模様が観察されるものを言い、オニキス、カーネリアン、ジャスパーなどと呼ばれるものも含む。メノウはモース硬度が７と非常に硬い物質であるが、磨くと美しい光沢を放つようになるので、半貴石として各種宝飾品として広く利用されているものの、これを光拡散媒体として用いて透光させることにより癒し効果に優れた発光装置として応用した例はない。本出願人は、薬品・化学品・食品・化粧品などの試料の混合・撹拌・擂り潰しなどに用いる乳鉢をメノウを主材料として製造することを本業としているが、メノウの二次的利用を検討する中で、メノウの光拡散作用に注目して、これを利用した発光装置を開発したのである。
【００１０】
透光部の光拡散媒体としては、メノウの他、石英、水晶、紫水晶（アメジスト）、黄水晶（シトリン）、紅水晶（ローズクオーツ）、煙水晶（スモーキークオーツ）、緑水晶（アベンチュリン）などの天然素材を用いても良い。珪素を主成分として製造された人工材料（人工水晶、人工ゼオライトなど）を光拡散媒体として用いることもできる。これらを任意に組み合わせて光拡散媒体として用いても良い。
【００１１】
光拡散媒体の大きさおよび形状は任意であり、粉状、粒状、球状、円柱状、角柱状、板状、不規則形状などとすることができる。これらを任意に組み合わせて使用しても良い。
【００１２】
本考案の発光装置の一つの典型的な構成例によれば、発光部に任意形状および任意数の開口凹部を形成し、この開口凹部に光拡散媒体を載置して、開口凹部から射出する光を拡散する。
【００１３】
本考案の発光装置は、ネオンサインのような看板灯ないし広告灯として用いることができる。この場合には、任意数および任意輪郭の切り抜き部を有する非透光性材料よりなる遮光層を備え、この遮光層を発光部に近接して配置すると共に各切り抜き部上に光拡散媒体を配置するか、または、この遮光層を透光部より透光方向前方に配置することにより、各切り抜き部の輪郭に沿って光を放出する。
【００１４】
本考案の発光装置において、光拡散媒体を水などの液体に沈めて用いることができる。一例として、水鉢や水槽の底に光拡散媒体を敷き詰めて用いることができる。また、光拡散媒体を足湯槽の底に敷き詰めると共に、発光部の光源を足湯槽の下方に設けて、光源からの光が足湯槽の底に敷き詰めた光拡散媒体を透過し、さらに足湯槽の湯を透過する間に屈折しながら拡散するように構成することにより、足湯の照明装置として使用することができる。
【００１５】
本考案の発光装置を水槽照明として用いる場合は、透光部を水槽の少なくとも一側面に隣接して設けると共に、その水槽側面とは反対側に隣接して発光部を設けた構成とすることができる。
【００１６】
発光部の光源は、異なる発色の発光ダイオードを所定の順序またはランダムに一列または複数列に並べて構成したものとすることができる。この場合、発光部が有する異なる発色の発光ダイオードを発光制御部により任意の規則的または不規則的パターンで点滅制御することが好ましい。
【考案の効果】
【００１７】
本考案によれば、ＬＥＤなどの光源から発する光がメノウなどの光拡散媒体を通過する間に不規則的に屈折・拡散されて癒し効果に優れた光として外部から観察される。
【００１８】
本考案は、発光装置や照明装置として広い用途を持ち、ネオンサインのような看板灯や広告灯、水鉢、水槽、足湯などの幅広い用途に供することができる。
【考案を実施するための最良の形態】
【００１９】
図１は本考案の一実施形態による発光装置を示す。この発光装置１０は、発光部１１と、発光制御部１２と、透光部１３とを有する。
【００２０】
発光部１１は、基板１１ａの上面に細長い開口凹部１１ｂが設けられ、この開口凹部１１ｂに光源１１ｃが収容されて構成されている。光源１１ｃはＬＥＤであり、異なる発色（赤、青、緑）の複数個のＬＥＤが所定の順序で規則的に配置されている。ＬＥＤを２列または複数列にして用いても良い。この場合、各列における異なる発色のＬＥＤの配列を同一にしても良いし、あるいはランダムに変えても良い。
【００２１】
発光制御部１２は、ＬＥＤ１１ｃを点滅照射させるものであり、ＯＮ／ＯＦＦスイッチ１２ａを備えている。発光制御部１２による点滅制御は、異なる発色のＬＥＤ１１ｃのすべてを同時に点滅するようにしても良いし、同一の発色のＬＥＤを同時に点滅させると共に各色のＬＥＤを異なるタイミングで点滅させても良く、あるいはランダムなパターンで点滅制御しても良い。
【００２２】
透光部１３は、発光部１１における開口凹部１１ｂの開口面を実質的に完全に覆うことができる大きさおよび形状を有する光拡散媒体１３ａを有し、この実施形態ではメノウを用いている。図では１本の細長い棒状のメノウ１３ａで開口凹部１１ｂの開口面を覆っているが、複数本の比較的短い棒状のものや球状のものを敷き詰めるようにして長手方向に連続的に置いて開口凹部１１ｂの開口面を覆っても良い。あるいは、粉状や粒状などの小さな細片状のメノウを用いる場合は、これらを単一または複数のガラス容器などに収容して、空間部１１ｂの開口面を実質的に完全に覆うように配置する。
【００２３】
図１に示す実施形態の発光装置１０において発光制御部１２のスイッチ１２ａをＯＮにすると、ＬＥＤ１１ｃが定められたパターンで点滅し始める。点灯したＬＥＤ１１ｃからの発光は空間部１１ｂの開口面に射出され、メノウ１３ａを通過する間に拡散されて癒し効果に優れた光として外部（上方）から観察される。また、異なる発色（赤、青、緑）の複数個のＬＥＤを所定順序で規則的に配置して発光部１１とすることにより、メノウ１３ａの各部が異なる色に観察され、しかもランダムなパターンで点滅を繰り返すことにより微妙に揺れ動きながら光彩が変化するので、リラグゼーション効果が顕著となる。
【００２４】
図２に示す実施形態は図１の実施形態の変形例であり、メノウを発光部１１の空間部１１ｂの開口面上に直接配置することに変えて、表裏に貫通する穴１３ｂを複数個有する板状部材１３ｃを空間部１１ｂの開口面を実質的に覆うように配置し、各貫通穴１３ｂに球状のメノウ１３ｄを置いた点で相違している。この相違以外は図１の実施形態と同様の構成を有するので、同一の符号を付して説明を省略する。また、作用も実質的に同様であるので、説明を省略する。
【００２５】
図３に示す実施形態は本考案の発光装置を看板灯ないし広告灯として応用したものであり、発光部としてのＬＥＤ１４と、ガラス板１５と、黒い厚手の紙などの不透光性シート１６と、この不透光性シート１６に配置した光拡散媒体としてのメノウ１７とから構成されている。不透光性シート１６は、看板や広告として強調的に表示したい所定の文字や図形などを形取った一または複数の切り抜き部１６ａを有し、各切り抜き部１６ａ上にその大きさおよび形状に対応して一または複数のメノウ１７が配置されている。たとえば不透光性シート１６が「Ｈ」の文字を形取った切り抜き部１６ａを有する場合、同図（Ｂ）に示すように「Ｈ」字形の切り抜き部１６ａの輪郭に沿って５本のメノウ棒材１７ａ〜１７ｅを並べる。このような構成において、図示しない発光制御部のスイッチ操作によりＬＥＤ１４に電流が与えられると、ＬＥＤ１４が発光し、ガラス板１５および不透性シート１６の切り抜き部１６ａを通り、切り抜き部１６ａに配置されたメノウ１７（１７ａ〜１７ｅ）を屈折しながら拡散して外部に放出される。これにより、従来のネオンサインと同様の用途に使用することができるだけでなく、前述のようなリラグゼーション効果を通じて斬新で強いアピール力を持った看板灯ないし広告灯としての使用が可能となる。なお、ガラス板１５は必ずしも必要ではなく、割愛しても良い。
【００２６】
あるいは、図４に示すように、発光部としてのＬＥＤ１４の上に光拡散媒体層１７を介して、所定の文字や図形に対応する切り抜き部１６ａを有する不透光性シート１６を配置した構成にしても良い。この場合も、ＬＥＤ１４からの光が光拡散媒体層１７を通る間に屈折しながら拡散し、不透光性シート１６の切り抜き部１６ａから外部に放散されることになるので、図３の実施例と同様の作用効果を発揮する看板灯ないし広告灯として使用することができる。なお、この場合の光拡散媒体層１７は板状ないし層状に形成する必要があるので、たとえばガラス容器にメノウ細片を敷き詰めたものを光拡散媒体層１７として用いることができる。
【００２７】
なお、図３（Ａ）および図４ではＬＥＤ１４、ガラス板１５、不透光性シート１６、光拡散媒体層１７が水平に延長していてこれらが垂直方向に積層された状態で示されているが、これらを垂直または任意に傾斜させて配置した構成にしても良いことは言うまでもない。
【００２８】
本考案による発光装置は水などの液体の中で使用することも可能であり、メノウなどの光拡散媒体を透過することによる光の揺らぎが水などの液中を不規則に屈折・拡散しながら通過することによってさらに強調され、癒しの空間を提供するための格好のツールとなる。図５は照明付水鉢としての用例を示し、図１の発光装置１０における発光部１１と略同様の構成であって良いベース１８と、同発光装置１０における発光制御部１２と略同様の構成であって良い発光制御部１９と、光拡散媒体としてのメノウ細片２０を敷き詰めた水鉢２１とを有する。ベース１８における開口凹部１８ａは、使用する水鉢２１に対応する大きさおよび形状を有する。この図ではメノウ細片２０を水鉢２１の底に敷き詰めているが、任意形状のメノウを用いることができる。
【００２９】
水鉢２１には通常の用途と同様に水２２を入れてスイレンなどの植物（図示せず）を浮かべて楽しむことができるが、発光制御部１９のスイッチ１９ａによりＬＥＤ１８ｂを点滅発光させると、その光が水鉢２１の底に敷き詰めたメノウ細片２０を透過し、さらに水２２を透過する間に不規則に屈折・拡散するので、光彩の変化に加えて微妙な揺らぎ感のある光として観察される。
【００３０】
近年、温泉地などにおいて足湯が人気を呼んでおり、全身浴にも匹敵する血行促進効果が得られることも実証されている。本考案の発光装置を足湯に応用した例が図６に示されている。すなわち、底に光拡散媒体としてのメノウ細片２３を敷き詰めた足湯槽２４に温泉などの湯２５を２０〜４０ｃｍ程度の高さまで注いで足湯として提供するものであるが、足湯槽２４の下に収容部２６を別途設けてＬＥＤ２７および発光制御部２８を収容する。足湯層２４の少なくとも底面はガラスなどの透光性材料で形成される。収容部２６の外側に設けられた発光制御部２８のスイッチ２８ａによりＬＥＤ２７を点滅発光させると、その光が足湯槽２４の底に敷き詰めたメノウ細片２３を透過し、さらに湯２５を透過する間に不規則に屈折・拡散して、光彩の変化に加えて微妙な揺らぎ感のある光として観察され、足湯を楽しむと同時に目で光を楽しむことができ、リラグゼーション効果がより一層向上する。足湯としての用例の場合、適度な大きさの粒状ないし小石状のメノウ細片２３を足湯層２４の底に敷き詰めると足ツボマッサージ効果が得られるので好適な実施形態となるが、ガラスなどの透明容器に入れて足湯層２４の底に配置したり、あるいは足湯層２４とは別に収容部２６などにＬＥＤ２７の上方に配置しても良い。
【００３１】
また、本考案の発光装置を、熱帯魚や水草などを飼育する水槽用の照明として使用することができる。たとえば図５の実施形態におけるベース１８および発光制御部１９を備えた構成とし、水鉢２１に代えて水槽を置けば、水槽を下から照らす照明装置となる。この場合、ＬＥＤ１８ｂからの光が水槽の底に敷き詰めたメノウ細片２０で各方向に不規則に屈折・散乱するので、水槽を上から見たときだけでなく横から見たときにも特徴的な光彩変化を楽しむことができる。メノウは水中に長期間おいても熱帯魚や水草に悪影響を与える有害成分を溶出することがないので、砂や砂利の代わりにメノウ細片２０を敷き詰めても何ら問題はない。
【００３２】
図７は水槽用照明装置としての他の構成例を示し、水平方向に長いＬＥＤ２９ａ，２９ｂを間隔を開けて上下二列に設けた発光部２９と、この発光部２９に隣接して配置され、メノウ細片３１を収容する縦長箱状の透光部３０と、ＬＥＤ２９ａ，２９ｂを所定のパターンで点滅させる発光制御部（図示せず）とを備えている。ＬＥＤ２９ａ，２９ｂからの光を外部に漏出させずにもっぱら透光部３０を透過させるために、発光部２９の上下および左右の周縁には枠体３２が設けられている。透光部３０はガラスや合成樹脂などの透明（透光性）材料で形成されている。
【００３３】
このような照明装置を水槽３３の少なくとも一側面、特に設置状態において壁面側となる水槽の背面に隣接して設置して、ＬＥＤ２９ａ，２９ｂを点滅させると、ＬＥＤ２９ａ，２９ｂからの光が透光部３０のメノウ細片３１の光拡散媒体層を通り、さらに水中を通る間に不規則に屈折・拡散して、光彩の変化に加えて微妙な揺らぎ感のある光として観察され、照明としての機能だけでなく、水槽３３内の熱帯魚や水草（いずれも図示せず）と共に光を目で楽しむことができ、リラグゼーション効果が大きい。水槽３３の底にもメノウ細片３４を敷き詰めることができる。
【００３４】
本考案では光源として主としてＬＥＤを用いるが、異なる発色（赤、青、緑）のＬＥＤを所定の順序で一列に配したものを用いると、光彩の変化を楽しむことができるので、好適な実施形態となる。たとえば、図８に示すように、各４個の赤色ＬＥＤ３５Ｒ、青色ＬＥＤ３５Ｂ、緑色ＬＥＤ３５Ｇをこの順序で一列に配したＬＥＤ板３６を用いることができる。これらＬＥＤの点滅パターンは任意であり、各色のＬＥＤ３５を一色ずつ別々のタイミングで単独に点灯・消灯させても良いが、一色のみ点灯・二色同時点灯・三色同時点灯をランダムに行い、また、点灯されるＬＥＤの個数も一個のみ点灯・二個同時点灯・三個同時点灯・全部（四個）同時点灯をランダムに行うように、発光制御部が点滅制御するようにすると、バラエティに富んだ光彩変化を楽しむことができる。
【００３５】
また、広い領域にＬＥＤ照射したい場合は、図８に示すようなＬＥＤ板３６を複数個用いることができるが、赤色ＬＥＤ３５Ｒ、青色ＬＥＤ３５Ｂおよび緑色ＬＥＤ３５Ｇの配列の順序を代えた複数個のＬＥＤ板を適当な間隔を開けて並べても良い。この場合、複数個のＬＥＤ板３６における点滅パターンは同一であっても異なるものであっても良い。
【００３６】
あるいは、一または各ＬＥＤ板３６における赤色ＬＥＤ３５Ｒ、青色ＬＥＤ３５Ｂおよび緑色ＬＥＤ３５Ｇの配列そのものをランダムにしても良い。
【図面の簡単な説明】
【００３７】
【図１】本考案の一実施形態による発光装置の正面断面図（Ａ）および平面図（Ｂ）である。
【図２】本考案の他の実施形態による発光装置の正面断面図（Ａ）および平面図（Ｂ）である。
【図３】本考案を看板灯ないし広告灯として応用した実施形態の模式構成図（Ａ）およびメノウ棒材の配置図（Ｂ）である。
【図４】図３の実施形態の変形例を示す模式構成図である。
【図５】本考案を照明付水鉢として応用した実施形態の概略構成図である。
【図６】本考案を足湯照明に応用した実施形態の概略構成図である。
【図７】本考案は水槽照明に応用した実施形態の概略構成図である。
【図８】本考案における発光装置の光源としてのＬＥＤの一例を示す図である。
【符号の説明】
【００３８】
１０  発光装置
１１  発光部
１１ａ  基板
１１ｂ  開口凹部
１１ｃ  ＬＥＤ（光源）
１２  発光制御部
１２ａ  スイッチ
１３  透光部
１３ａ  細長い棒状のメノウ（光拡散媒体）
１３ｂ  貫通穴
１３ｃ  板状部材
１３ｄ  球状のメノウ（光拡散媒体）
１４  ＬＥＤ（発光部、光源）
１５  透明ガラス板
１６  不透光性シート
１６ａ  切り抜き部
１７（１７ａ〜１７ｅ）  メノウ（光拡散媒体）
１８  ベース
１８ａ  開口凹部
１８ｂ  ＬＥＤ（光源）
１９  発光制御部
１９ａ  スイッチ
２０  メノウ細片（光拡散媒体）
２１  水鉢（または水槽）
２２  水
２３  メノウ細片（光拡散媒体）
２４  足湯槽
２５  湯
２６  収容部
２７  ＬＥＤ（発光部、光源）
２８  発光制御部
２８ａ  スイッチ
２９  発光部
２９ａ，２９ｂ  ＬＥＤ（光源）
３０  透光部
３１  メノウ細片（光拡散媒体）
３２  枠体
３３  水槽
３４  メノウ細片
３５Ｒ  赤色ＬＥＤ（光源）
３５Ｂ  青色ＬＥＤ（光源）
３５Ｇ  緑色ＬＥＤ（光源）
３６  ＬＥＤ板
【図１】
0003117206.tif 000003
【図２】
0003117206.tif 000004
【図３】
0003117206.tif 000005
【図４】
0003117206.tif 000006
【図５】
0003117206.tif 000007
【図６】
0003117206.tif 000008
【図７】
0003117206.tif 000009
【図８】
0003117206.tif 000010